(57)【要約】      （修正有）【課題】ガスボンベの開封において、未だガスが残っているガスボンベを取り出す際に、ガスボンベが飛び出す危険を防止する簡易な装置を提供する。【解決手段】エアガン１のグリップ部の中に設けられ、ガスボンベ３１を収納するガスボンベ収納部１１と、ガスボンベ収納部１１を開閉するクランプ４１と、クランプ４１の回動支点であるクランプ軸４２と、ガスボンベ収納部１１底部に設置されるローラー１４と、ローラー１１４上部とガスボンベ３１の底部との間に設置され、ローラー１４方向に付勢される、ガスボンベ３１の底面形状に合わせた表面形状を有する受け皿２１と、を備えることを特徴とする玩具銃１。【選択図】図１
2016200377.tif 000002
【特許請求の範囲】
【請求項１】
エアガンのグリップ部の中に設けられ、ガスボンベを収納するガスボンベ収納部と、
ガスボンベ収納部を開閉するクランプと、
クランプの回動支点であるクランプ軸と、
ガスボンベ収納部底部に設置されるローラーと、
ローラー上部とガスボンベの底部との間に設置され、ローラー方向に付勢される、ガスボンベの底面形状に合わせた表面形状を有する受け皿と、
を備えることを特徴とする玩具銃。
【請求項２】
ガスボンベ底面は凸状球面状からなり、受け皿表面は凹状球面状からなる、
請求項１記載の玩具銃。
【請求項３】
受け皿の周辺は立ち上げ状を有する、
請求項１または２のいずれか記載の玩具銃。
【請求項４】
受け皿周囲に設けられた立ち上げ状は、開口部側が、奥側よりも高い、
請求項１または２または３のいずれか記載の玩具銃。
【請求項５】
受け皿の開口部側は、中央より角の方が立ち上がる、
請求項１または２または３または４のいずれか記載の玩具銃。
【発明の詳細な説明】
【技術分野】
【０００１】
本発明は、玩具銃に係る。詳細には、玩具銃でＢＢ弾等の弾丸を発射するのに使用されるエア等の気体を収納するガスボンベの収納機構に係る。
【背景技術】
【０００２】
従来の玩具銃でＢＢ弾等の弾丸を発射するのに使用されるエア等の気体を収納するガスボンベの収納機構としては、例えば、出願人の出願に係る「玩具銃」（特許文献１  米国特許第７，２９０，５３９号、特許文献２  米国特許第８，５５０，０６２号公報）等が知られている。
【０００３】
玩具銃でＢＢ弾等の弾丸を発射するのに使用されるエア等の気体を収納するガスボンベの収納機構では、ガスボンベの開封において梃を使用した場合、未だガスが残っているガスボンベを取り出す際には、急速にボンベを開放するため、残留ガスを開封口から噴出しながらガスボンベが飛び出し、危険がある。
そこで、従来は、フレームに開口しているガスボンベの入口を極力狭めたり、あるいは、飛び出し防止の可動式のガードを設けることが試みられる。
【先行技術文献】
【特許文献】
【０００４】
【特許文献１】米国特許第７，２９０，５３９号公報
【特許文献２】米国特許第８，５５０，０６２号公報
【発明の概要】
【発明が解決しようとする課題】
【０００５】
ガスボンベの開封において、未だガスが残っているガスボンベを取り出す際に、急速にボンベを開放するため、残留ガスを開封口から噴出しながらガスボンベが飛び出す危険を防止する簡易な装置の提供が必要とされた。
【０００６】
本発明の目的は、ガスボンベの開封において、未だガスが残っているガスボンベを取り出す際に、ガスボンベが飛び出す危険を防止する簡易な装置を提供するにある。
【課題を解決するための手段】
【０００７】
本発明の玩具銃は、
エアガンのグリップ部の中に設けられ、ガスボンベを収納するガスボンベ収納部と、
ガスボンベ収納部を開閉するクランプと、
クランプの回動支点であるクランプ軸と、
ガスボンベ収納部底部に設置されるローラーと、
ローラー上部とガスボンベの底部との間に設置され、ローラー方向に付勢される、ガスボンベの底面形状に合わせた表面形状を有する受け皿と、
を備える。
【０００８】
本発明の玩具銃は、更に、
ガスボンベ底面は凸状球面状からなり、受け皿表面は凹状球面状からなる、
を備える。
【０００９】
本発明の玩具銃は、更に、
受け皿の周辺は立ち上げ状を有する、
を備える。
【００１０】
本発明の玩具銃は、更に、
受け皿周囲に設けられた立ち上げ状は、開口部側が、奥側よりも高い、
を備える。
【００１１】
本発明の玩具銃は、更に、
受け皿の開口部側は、中央より角の方が立ち上がる。
【発明の効果】
【００１２】
本発明によれば、ガスボンベの開封において、未だガスが残っているガスボンベを取り出す際に、ガスボンベが飛び出す危険を防止する簡易な装置を提供する。
【図面の簡単な説明】
【００１３】
【図１】この発明の実施の形態に係る実施例に係る玩具銃の使用状態の正面一部断面図である。
【図２】この発明の実施の形態に係る実施例に係る玩具銃の使用状態の正面一部断面図である。
【図３】この発明の実施の形態に係る実施例に係る玩具銃の使用状態の斜視図である。
【図４】この発明の実施の形態に係る実施例に係る玩具銃の使用状態の正面一部断面図である。
【図５】この発明の実施の形態に係る実施例に係る玩具銃の使用状態の斜視図である。
【図６】この発明の実施の形態に係る実施例に係る玩具銃の使用状態の正面一部断面図である。
【図７】この発明の実施の形態に係る実施例に係る玩具銃の使用状態の斜視図である。
【図８】この発明の実施の形態に係る実施例に係る玩具銃に係る受け皿の斜視図である。
【図９】この発明の実施の形態に係る実施例に係る玩具銃に係る受け皿の平面図である。
【図１０】この発明の実施の形態に係る実施例に係る玩具銃に係る受け皿の正面図である。
【図１１】この発明の実施の形態に係る実施例に係る玩具銃に係る受け皿の側面図である。
【発明を実施するための形態】
【００１４】
この発明の実施の一形態に係る実施例を、この発明の実施例を図示する図面に基づいて
説明する。
１は玩具銃、１２は玩具銃１のグリップ部、１３はトリガーである。グリップ部１２を握ってトリガー１３を操作する。
１１は、ガスボンベ収納部である。ガスボンベ収納部１１は、エアガンである玩具銃１のグリップ部１２の中に設けられ、ガスボンベ３１を収納する。ガスボンベ３１は、全体として金属製円筒状からなり、先端は小径となり、底面は凸状球面状からなる。
【００１５】
１６は、気室である。気室１６は、グリップ部１２の上部に設置される。１５はピアス、１５１はピアス１５先端部である。ピアス１５基部は気室１６に取り付けられ、ピアス先端部１５１からガスを導入して、ピアス１５を経て、気室１６にガスを導入する。
１４は、ローラーである。ローラー１４は、ガスボンベ収納部１１底部に設置される。
【００１６】
４１は、クランプである。４２は、クランプ４１の回動支点であるクランプ軸である。クランプ４１は、クランプ軸４２を回動支点として回動して、ガスボンベ収納部１１の開口部１７を開閉する。このとき、クランプ軸４２を回動支点としてクランプ４１を回動させて、ローラー１４をテコの原理で、下から受け皿２１に押し付ける。すると、押された受け皿２１がガスボンベ３１を上方にはめ込む。
この実施例では、クランプ４１は、玩具銃１１後方に開口するが、側方に開口させてもよい。
【００１７】
２１は、受け皿である。受け皿２１は、ローラー１４上部と、ガスボンベ収納部１１に収納されたガスボンベ３１の底部との間に設置される。５１はスプリングであり、５２は、レール部である。レール部５２は、グリップ部１２側面に気室１６とクランプ軸４２方向に長溝状に設けられる。スプリング５１は、レール部５２内に設置され、レール部５２に沿って、気室１６とクランプ軸４２方向に摺動可能である。スプリング５１は、受け皿２１をクランプ軸４２方向に付勢させる。受け皿２１は、ガスボンベ３１の底面形状に合わせた上面形状を有する。この実施例では、ガスボンベ３１は、底面は凸状球面状からなるので、図１、図２、図４、図６、図８乃至図１１に図示されるように受け皿２１表面は凹状球面状からなる。
【００１８】
受け皿２１は、凹状球面状からなるため、受け皿中心部２３は凹状球面の底部をなす。受け皿中心部には、孔２４が設けられる。孔２４は長方形からなる。ローラー１４が孔２４から少しはみ出してガスボンベ３１に当接可能に設けられる。これは、クランプ４１を受け皿２１に押圧してガスボンベ３１を収納する際、受け皿２１をローラーが押すだけでは弱く、ローラー１４を直接ガスボンベ３１に押し付けることにより、ピアス１５によるガスボンベ３１の開封を確実なものにするためのものである。受け皿中心部２３の周辺は立ち上げ状の開口部側壁２２Ｂ、開口部側壁２２Ｂ、後側壁２２Ｃ、及び開口部側壁２２Ｂ、開口部側壁２２Ｂ間に設けられる開口部中央凹部２２Ａを有する。
開口部中央凹部２２Ａは、中央に行くにしたがい壁が低くなるガスボンベ３１の底面の曲線にあわせた曲線状の凹部が形成される。
【００１９】
開口部側壁２２Ｂ、開口部側壁２２Ｂは、開口面から側面に掛けて底面の中心部よりも高い壁が形成する。受け皿２１周囲に設けられた立ち上げ状の壁は、開口部側である開口部側壁２２Ｂ、開口部側壁２２Ｂが、奥側及び側壁である後側壁２２Ｃよりも高く形成される。そのため、ガスボンベ３１の開口部１７への飛び出しを防止することが可能である。
後側壁２２Ｃの縦方向に側面及び後面に縦方向に設けられる３本の突起は、係止部２５である。係止部２５は、受け皿２１をグリップ部１２に取り付けるにあたり、受け皿２１底部を固定する。
【００２０】
次に、実施例の作用を説明する。
クランプ軸４２を回動軸として、ガスボンベ３１をテコの作用によりクランプ４１を、受け皿２１に押し、ガスボンベ３１を上方に押圧して収納する。すると、ガスボンベ３１上部にピアス１５のピアス先端部１５１が突き刺さりガスボンベ３１を開封する。
図１に図示される状態では、すでにピアス先端部１５１がガスボンベ３１先端に突き刺さりガスボンベ３１が開封され、ピアス１５を介して気室１６内にガスが満たされている。クランプ４１も閉ざされ、ガスボンベ３１が銃本体に収まっている。
【００２１】
図２、図３に図示されるのは、ガスボンベ３１内にまだガスが残っている状態で、クランプ４１を矢示に従い開いた状態である。クランプ４１は、クランプ軸４２を回動軸として回動され、開口部１７を開口させる。
図４、図５に図示されるように、クランプ４１を回動させ開口部１７を開いたと同時に、ガスボンベ３１の開封部分からガスＡが噴出し、その勢いでガスボンベ３１が矢示するように押され、更に吹き飛ばされる恐れがあった。その際ガスボンベ３１はどこにでも飛んでいく要素があり大変危険であるが、受け皿２１に設けられた、受け皿２１周囲に設けられた立ち上げ状の壁は、開口部１７側である開口部側壁２２Ｂ、開口部側壁２２Ｂが、奥側及び側壁である後側壁２２Ｃよりも高く形成されるため、飛び出し防止部となって、銃１後方へのガスボンベ３１の出し入れ部分である開口部１７からの飛び出しを防ぐ。
【００２２】
開口部側壁２２Ｂ、開口部側壁２２Ｂにより移動が制限され、下方以外に移動出来ないガスボンベ３１は受け皿２１と共に下方に移動する。そして、そのままガスがなくなるまでガスボンベ３１は下方に押し付けられる
図４、図５に図示されるように、受け皿はスプリングにより下方に付勢されているので、銃本体を揺らすか逆さまにすることにより、図６、図７に図示されるように、本体からガスボンベ３１を取り出す事が出来る。
【００２３】
ローラー部１４とガスボンベ３１との間に飛び出し防止の受け皿２１を設けたので、開放されたガスボンベ３１をその受け皿２１が常に追随することで、ガスボンベ３１の飛び出しを確実に防止できる。
受け皿２１が上下動する。図中下方に付勢力を付与している。
そのため、移動式のガードを個別に操作して、ボンベを抜いたりする操作をする必要が無くなる。また、ガスボンベ３１をフレームから取り出す際には、開口スペースが確保されているため、ガスボンベ３１を取り出し易くなる。
更に、今までは、危険性があるため行うことができなかった、テコの原理を利用した開封方法に伴った玩具銃１後方からのガスボンベ３１の出し入れが可能する。
【符号の説明】
【００２４】
１  玩具銃（エアガン）
１１  ガスボンベ収納部
１２  グリップ部
１４  ローラー
２１  受け皿
３１  ガスボンベ
４１  クランプ
４２  クランプ軸
【図１】
2016200377.tif 000003
【図２】
2016200377.tif 000004
【図３】
2016200377.tif 000005
【図４】
2016200377.tif 000006
【図５】
2016200377.tif 000007
【図６】
2016200377.tif 000008
【図７】
2016200377.tif 000009
【図８】
2016200377.tif 000010
【図９】
2016200377.tif 000011
【図１０】
2016200377.tif 000012
【図１１】
2016200377.tif 000013